(57)【要約】  熱交換器は、間隔を置いて並列に配置された複数の板状フィンと、複数の板状フィンと交差する複数の伝熱管とを有する熱交換部と、熱交換部に冷媒を供給するヘッダ配管と、熱交換部とヘッダ配管との間に接続された複数のパス配管とを備え、複数のパス配管のうち、１つ以上のパス配管は、ヘッダ配管から離れる方向に延在する第１直管部と、第１直管部から延在する第１屈曲管部と、熱交換部との配管接続部から離れる方向に延在する第２直管部と、第２直管部から延在する第２屈曲管部と、第１屈曲管部と第２屈曲管部との間を延在する第３直管部とを有しており、第１屈曲管部の屈曲角は９０度未満である。また、冷凍サイクル装置は、上述の熱交換器を備える。
2017168669.tif 000002
【特許請求の範囲】
【請求項１】
間隔を置いて並列に配置された複数の板状フィンと、前記複数の板状フィンと交差する複数の伝熱管とを有する熱交換部と、
前記熱交換部に冷媒を供給するヘッダ配管と、
前記熱交換部と前記ヘッダ配管との間に接続された複数のパス配管と
を備え、
前記複数のパス配管のうち、１つ以上のパス配管は、
前記ヘッダ配管から離れる方向に延在する第１直管部と、
前記第１直管部から延在する第１屈曲管部と、
前記熱交換部との配管接続部から離れる方向に延在する第２直管部と、
前記第２直管部から延在する第２屈曲管部と、
前記第１屈曲管部と前記第２屈曲管部との間を延在する第３直管部と
を有しており、
前記第１屈曲管部の屈曲角は９０度未満である
熱交換器。
【請求項２】
前記第２直管部は、前記第１直管部とねじれの位置にある
請求項１に記載の熱交換器。
【請求項３】
前記第２直管部は、前記第１直管部と平行である
請求項１に記載の熱交換器。
【請求項４】
前記屈曲角は２５度より大きく８５度よりも小さい
請求項１〜３のいずれか一項に記載の熱交換器。
【請求項５】
前記屈曲角は６０度より大きく８０度よりも小さい
請求項１〜３のいずれか一項に記載の熱交換器。
【請求項６】
請求項１〜５のいずれか一項に記載の熱交換器を備える冷凍サイクル装置。
【発明の詳細な説明】
【技術分野】
【０００１】
本発明は、フィンアンドチューブ型の熱交換器、及び当該熱交換器を備える冷凍サイクル装置に関する。
【背景技術】
【０００２】
従来のフィンアンドチューブ型の熱交換器としては、例えば特許文献１には、熱交換フィンと、熱交換フィンの周囲を囲む筒状の壁体と、熱交換フィンと筒状の壁体とを貫通して配置される通水管とを備える熱交換器が開示されている。特許文献１の熱交換器は、筒状の壁体と導水管との温度差により導水管に熱歪みが発生する。特許文献１の熱交換器では、通水管の熱歪みによる熱応力を低減するために、溝状の緩衝部が筒状の壁体に形成されている。
【先行技術文献】
【特許文献】
【０００３】
【特許文献１】特開平７−２１８１７７号公報
【発明の概要】
【発明が解決しようとする課題】
【０００４】
しかしながら、特許文献１のフィンアンドチューブ型の熱交換器では、例えば、導水管の一部が屈曲し、導水管の一部が溝状の緩衝部と同一方向に延在している場合には、緩衝部によって熱応力が低減できない。したがって、特許文献１のフィンアンドチューブ型の熱交換器では、導水管の形状によっては熱応力が低減できない場合があるという課題が存在する。【０００５】
また、従来のフィンアンドチューブ型の熱交換器には、ヘッダ管から延在するパス配管を通じて複数の伝熱管に熱交換媒体が供給されるように構成されたものがある。このようなフィンアンドチューブ型の熱交換器では、ヘッダ管から延在するパス配管は、パス配管の途中部分が直角に屈曲され、パス配管の一部がヘッダ管の長手方向と同一方向に延在している場合がある。パス配管の一部がヘッダ管の長手方向と同一方向に延在している場合、パス配管と伝熱管の連結部分にヘッダ管及びパス配管の熱歪みによる大きな熱応力が生じる場合がある。したがって、従来のフィンアンドチューブ型の熱交換器では、パス配管と伝熱管の連結部分に生じる熱応力のために、熱応力に対する熱交換器の信頼性を確保できない場合があるという課題があった。【０００６】
本発明は、上述の課題を解決するためになされたものであり、熱交換器の配管の一部が屈曲している場合であっても熱応力を低減でき、熱応力に対する信頼性を確保することが可能な熱交換器及び冷凍サイクル装置を提供することを目的とする。
【課題を解決するための手段】
【０００７】
本発明に係る熱交換器は、間隔を置いて並列に配置された複数の板状フィンと、前記複数の板状フィンと交差する複数の伝熱管とを有する熱交換部と、前記熱交換部に冷媒を供給するヘッダ配管と、前記熱交換部と前記ヘッダ配管との間に接続された複数のパス配管とを備え、前記複数のパス配管のうち、１つ以上のパス配管は、前記ヘッダ配管から離れる方向に延在する第１直管部と、前記第１直管部から延在する第１屈曲管部と、前記熱交換部との配管接続部から離れる方向に延在する第２直管部と、前記第２直管部から延在する第２屈曲管部と、前記第１屈曲管部と前記第２屈曲管部との間を延在する第３直管部とを有しており、前記第１屈曲管部の屈曲角は９０度未満である。【０００８】
また、本発明に係る冷凍サイクル装置は、上述の熱交換器を備える。
【発明の効果】
【０００９】
本発明によれば、第１屈曲管部の屈曲角を９０度未満とすることにより、配管接続部における熱応力を小さくし、配管接続部で熱疲労による亀裂又は折損が発生する可能性を低減できる。したがって、本発明によれば、熱応力に対する信頼性を確保することが可能な熱交換器及び冷凍サイクル装置を提供することができる。
【図面の簡単な説明】
【００１０】
【図１】本発明の実施の形態１に係る熱交換器１の構造の一部を概略的に示した斜面図である。
【図２】本発明の実施の形態１に係る熱交換器１における熱交換部２と第１パス配管４との配管接続の一例を示す概略図である。
【図３】本発明の実施の形態１に係る熱交換器１の第１ヘッダ配管３及び第２ヘッダ配管５の一方の末端側における、第１パス配管４及び第２パス配管６の構造の一例を示す概略図である。
【図４】本発明の実施の形態１に係る熱交換器１の第１ヘッダ配管３及び第２ヘッダ配管５の他方の末端側における、第１パス配管４及び第２パス配管６の構造の一例を示す概略図である。
【図５】本発明の実施の形態１に係る熱交換器１の第１ヘッダ配管３及び第２ヘッダ配管５の他方の末端側における、第１パス配管４及び第２パス配管６の構造の別の一例を示す概略図である。
【図６】本発明の実施の形態１に係る熱交換器１において、第１パス配管４の第１屈曲管部４０ｂの屈曲角θが９０度である場合の第１ヘッダ配管３及び第１パス配管４の構造の一例を示す概略的な側面図である。
【図７】図６の熱交換器１を下側から見た概略図である。
【図８】図６の熱交換器１において、第１ヘッダ配管３に高温高圧のガス冷媒が流入した場合の第１ヘッダ配管３及び第１パス配管４の熱歪みを概略的に示す側面図である。
【図９】図８の熱交換器１を下側から見た概略図である。
【図１０】本発明の実施の形態１に係る熱交換器１において、第１パス配管４の第１屈曲管部４０ｂの屈曲角θが９０度未満である場合の第１ヘッダ配管３及び第１パス配管４の構造の一例を示す概略的な側面図である。
【図１１】本発明の実施の形態１に係る熱交換器１において、第１パス配管４の第１屈曲管部４０ｂの屈曲角θが９０度未満である場合の第１ヘッダ配管３及び第１パス配管４の構造の別の一例を示す概略的な側面図である。
【図１２】本発明の実施の形態１に係る冷凍サイクル装置１００の一例を概略的に示す冷媒回路図である。
【図１３】本発明の実施の形態１に係る冷凍装置２００の一例である屋内型冷凍装置の屋外凝縮ユニット２００ａの内部構造を示す概略図である。
【図１４】本発明の実施の形態１に係る冷凍装置２００の一例である屋外型冷凍装置２００ｂの外観構造を示す概略図である。
【図１５】本発明の実施の形態２に係る熱交換器１において、第１パス配管４の第１屈曲管部４０ｂの屈曲角θが６０度である場合の第１ヘッダ配管３及び第１パス配管４の構造の一例を示す概略的な側面図である。
【図１６】本発明の実施の形態２に係る熱交換器１において、第１パス配管４の第１屈曲管部４０ｂの屈曲角θが１００度である場合の第１ヘッダ配管３及び第１パス配管４の構造の一例を示す概略的な側面図である。
【図１７】本発明の実施の形態２に係る熱交換器１における、第１パス配管４の第１屈曲管部４０ｂの屈曲角θと配管接続部１０における熱応力との関係を示したグラフである。
【図１８】本発明の実施の形態２に係る熱交換器１において、第１パス配管４の第１屈曲管部４０ｂの屈曲角θが鋭角である場合の第１パス配管４の第１屈曲管部４０ｂの構造の一例を示す概略的な側面図である。
【図１９】本発明の実施の形態２に係る熱交換器１における、第１パス配管４の第１屈曲管部４０ｂの屈曲角θと第１屈曲管部４０ｂにおける熱応力との関係を示したグラフである。
【図２０】本発明の実施の形態２に係る熱交換器１において、第１パス配管４の第１屈曲管部４０ｂの屈曲角θが鋭角である場合の第１パス配管４の第１屈曲管部４０ｂの構造の別の一例を示す概略的な側面図である。
【図２１】本発明の実施の形態２に係る熱交換器１における、第１パス配管４の第１屈曲管部４０ｂの屈曲角θと第１パス配管４の共振周波数との関係を示したグラフである。
【図２２】本発明の実施の形態３に係る熱交換器１における、第１パス配管４の第１屈曲管部４０ｂの屈曲角θと配管接続部１０における熱応力及び第１パス配管４の材料費との関係を示したグラフである。
【発明を実施するための形態】
【００１１】
実施の形態１．
本発明の実施の形態１に係る熱交換器１の構造について説明する。図１は、本実施の形態１に係る熱交換器１の構造の一部を概略的に示した斜面図である。図１においては、熱交換器１の上端部の一部は、矩形の点線で囲まれて領域Ａとして示されている。また、熱交換器１の下端部の一部は、矩形の点線で囲まれて領域Ｂとして示されている。
【００１２】
なお、図１を含む以下の図面では、各構成部材の寸法の関係及び形状は、実際のものとは異なる場合がある。また、以下の図面では、同一の又は類似する部材又は部分には、同一の符号を付すか、又は符号を付すことを省略している。また、各構成部材同士の、例えば上下関係等の位置関係は、原則として、熱交換器１を使用可能な状態に設置したときのものである。
【００１３】
熱交換器１は、フィンアンドチューブ型の空冷式熱交換器として構成されている。図１に示すように、熱交換器１は、内部を通過する空気との間で熱交換が行われる領域を構成する熱交換部２を備えている。空気の通過方向から見た熱交換部２の一辺側には、第１ヘッダ配管３及び第２ヘッダ配管５が配置されている。図１では、第１ヘッダ配管３及び第２ヘッダ配管５は、熱交換器１の左側に配置されている。また、熱交換部２と第１ヘッダ配管３の間、及び熱交換部２と第２ヘッダ配管５との間には、複数のパンチ穴７ａを有する側板７が配置されている。
【００１４】
熱交換部２と第１ヘッダ配管３との間には、複数の第１パス配管４が配管接続されている。また、熱交換部２と第２ヘッダ配管５との間には、複数の第２パス配管６が配管接続されている。
【００１５】
次に、第１パス配管４の熱交換部２との配管接続構造について、図２を用いて説明する。
【００１６】
図２は、本実施の形態１に係る熱交換器１における熱交換部２と第１パス配管４との配管接続の一例を示す概略図である。図２に示すように、熱交換部２は、側板７と間隔を置いて並列に配置される複数の板状フィン２０と、複数の板状フィン２０と交差する複数の伝熱管２５とを備えている。熱交換部２において、複数の板状フィン２０は互いに間隔を置いて配置されており、隣接する板状フィン２０の間を流動する空気と、複数の伝熱管２５の内部を流れる熱交換媒体、例えば冷媒との間で熱交換が行われる。また、図示しないが、伝熱管２５は、例えばヘアピン形状に折り曲げたＵ字形状のベント管として構成できる。
【００１７】
第１パス配管４の末端部４ａは、側板７のパンチ穴７ａから突出して配置された伝熱管２５の一方の末端部２５ａに配管接続されている。以降の説明においては、伝熱管２５の末端部２５ａと側板７のパンチ穴７ａとの配管接続部分を配管接続部１０と称する。
【００１８】
なお、図示しないが、第２パス配管６の末端部は、第１パス配管４の末端部４ａと同様に、側板７のパンチ穴７ａから突出して配置された伝熱管２５の他方の末端部に配管接続されている。
【００１９】
次に、第１ヘッダ配管３及び第２ヘッダ配管５の両端側における第１パス配管４及び第２パス配管６の構造を図３〜図５を用いて説明する。
【００２０】
図３は、本実施の形態１に係る熱交換器１の第１ヘッダ配管３及び第２ヘッダ配管５の一方の末端側における、第１パス配管４及び第２パス配管６の構造の一例を示す概略図である。図４は、本実施の形態１に係る熱交換器１の第１ヘッダ配管３及び第２ヘッダ配管５の他方の末端側における、第１パス配管４及び第２パス配管６の構造の一例を示す概略図である。図５は、本実施の形態１に係る熱交換器１の第１ヘッダ配管３及び第２ヘッダ配管５の他方の末端側における、第１パス配管４及び第２パス配管６の構造の別の一例を示す概略図である。
【００２１】
なお、図３は、図１の領域Ａ、すなわち第１ヘッダ配管３及び第２ヘッダ配管５の上端側における第１パス配管４及び第２パス配管６の構造の一例を示すものである。また、図４は、図１の領域Ｂ、すなわち第１ヘッダ配管３及び第２ヘッダ配管５の下端側における第１パス配管４及び第２パス配管６の構造の一例をそれぞれ示すものである。また、図５は、図１の領域Ｂにおける第１パス配管４の変形例、すなわち、図４の変形例を示すものである。
【００２２】
図３〜図５に示すように、第１ヘッダ配管３の両端側に配管接続される複数の第１パス配管４には、第１直管部４０ａと、第１屈曲管部４０ｂと、第２直管部４０ｃと、第２屈曲管部４０ｄと、第３直管部４０ｅとを有するものがある。すなわち、図３〜図５の熱交換器１は、湾曲した管構造を有する１以上の第１パス配管４を備えている。
【００２３】
第１パス配管４において、第１直管部４０ａは、第１ヘッダ配管３から離れる方向に延在している。また、第１パス配管４において、第１屈曲管部４０ｂは第１直管部４０ａから延在している。また、第１パス配管４において、第２直管部４０ｃは、配管接続部１０で接続され、熱交換部２から離れる方向に延在している。また、第１パス配管４において、第２屈曲管部４０ｄは、第２直管部４０ｃから延在している。また、第１パス配管４において、第３直管部４０ｅは、第１屈曲管部４０ｂと第２屈曲管部４０ｄとの間を延在している。なお、第１直管部４０ａ、第１屈曲管部４０ｂ、第２直管部４０ｃ、第２屈曲管部４０ｄ、及び第３直管部４０ｅは、一体化して構成しても良いし、別個の冷媒配管として配管接続して構成しても良い。
【００２４】
図３においては、第１ヘッダ配管３の上端側において、第１パス配管４は、第１直管部４０ａ及び第２直管部４０ｃが、互いにねじれの位置関係となるように構成されている。また、図４においては、第１ヘッダ配管３の下端側において、第１パス配管４は、第１直管部４０ａ及び第２直管部４０ｃが、互いにねじれの位置関係となるように構成されている。また、図５においては、第１ヘッダ配管３の下端側において、第１パス配管４は、第１直管部４０ａ及び第２直管部４０ｃが、互いに平行となるように構成されている。
【００２５】
熱交換器１が凝縮器として機能し、第１ヘッダ配管３に高温高圧のガス冷媒が流入した場合、第１ヘッダ配管３の配管温度は例えば１００℃前後、例えば９８℃〜１０２℃の高温になる場合がある。例えば、熱交換部２の板状フィン２０の間を流動する外気温度が−１５℃という低温度環境下においては、配管温度と外気温度との温度差により、第１ヘッダ配管３及び第１パス配管４に、熱膨張による熱歪みが生じることとなる。
【００２６】
次に、第１ヘッダ配管３に冷媒温度９８℃のガス冷媒が流入し、外気温度が−１５℃の場合の第１ヘッダ配管３及び第１パス配管４に生じる熱歪みについて説明する。
【００２７】
図６は、本実施の形態１に係る熱交換器１において、第１パス配管４の第１屈曲管部４０ｂの屈曲角θが９０度である場合の第１ヘッダ配管３及び第１パス配管４の構造の一例を示す概略的な側面図である。図７は、図６の熱交換器１を下側から見た概略図である。図６及び図７は、図４に示した第１ヘッダ配管３及び第１パス配管４の構造に対応するものである。
【００２８】
また、図８は、図６の熱交換器１において、第１ヘッダ配管３に高温高圧のガス冷媒が流入した場合の第１ヘッダ配管３及び第１パス配管４の熱歪みを概略的に示す側面図である。図９は、図８の熱交換器１を下側から見た概略図である。
【００２９】
図８及び図９においては、配管接続部１０に対応する構造が、円形の点線に囲まれて示されている。また、図８及び図９においては、熱歪み後の第１ヘッダ配管３及び第１パス配管４の形状が実線で図示されている。また、図８においては、熱歪みにより第１ヘッダ配管３及び第１パス配管４に生じる熱応力の方向が白色のブロック矢印で示されている。
【００３０】
なお、図８及び図９においては、熱歪み前の第１ヘッダ配管３及び第１パス配管４の形状は破線で図示されている。図８において破線で図示された第１ヘッダ配管３及び第１パス配管４の形状は、図６の第１ヘッダ配管３及び第１パス配管４の形状と同一である。また、図９において破線で図示された第１ヘッダ配管３及び第１パス配管４の形状は、図７の第１ヘッダ配管３及び第１パス配管４の形状と同一である。
【００３１】
図８の白色のブロック矢印に示すように、第１ヘッダ配管３においては、熱膨張によって熱歪みが生じ、熱歪みによって第１ヘッダ配管３の中心軸の方向に熱応力が発生する。
【００３２】
また、第１パス配管４においても、第１パス配管４の熱膨張によって熱歪みが生じ、熱歪みによって熱応力が発生する。特に、図８の白色のブロック矢印に示すように、第１パス配管４においては、第３直管部４０ｅの熱膨張により熱歪みが生じ、熱歪みによって第１ヘッダ配管３の熱応力方向と同一方向に熱応力が発生する。したがって、配管接続部１０においては、第１ヘッダ配管３に発生する熱応力と第１パス配管４に発生する熱応力との合力が発生するため、配管接続部１０における熱応力は大きくなる。配管接続部１０における熱応力が大きくなると、配管接続部１０に熱疲労による亀裂又は折損が発生する可能性があるため、熱交換器１の信頼性が維持できない可能性がある。
【００３３】
なお、図９に示すように、第１パス配管４においては、第１直管部４０ａ及び第２直管部４０ｃの熱膨張によって熱歪みが生じ、熱歪みによって配管接続部１０に熱応力が発生する。例えば、第１直管部４０ａの熱歪みによって、配管接続部１０には第１直管部４０ａの中心軸の方向、すなわち、側板７の面に平行かつ第１パス配管４から離れる方向に熱応力が発生する。また、第２直管部４０ｃの熱歪みによって、配管接続部１０では第２直管部４０ｃの中心軸の方向、すなわち、側板７の面に垂直かつ側板７の面に向かう方向に熱応力が発生する。しかしながら、第１直管部４０ａ及び第２直管部４０ｃの熱歪みにより配管接続部１０に発生する熱応力は、第１ヘッダ配管３に発生する熱応力とは同一方向とならない。したがって、配管接続部１０において、第１直管部４０ａ及び第２直管部４０ｃの熱歪みにより発生する熱応力は、第１ヘッダ配管３に発生する熱応力と第１パス配管４に発生する熱応力との合力よりは小さくなる。
【００３４】
なお、第１直管部４０ａ及び第２直管部４０ｃの中心軸方向の長さを小さくすることにより、第１直管部４０ａ及び第２直管部４０ｃで発生する熱応力を小さくすることができる。
【００３５】
図１０は、本実施の形態１に係る熱交換器１において、第１パス配管４の第１屈曲管部４０ｂの屈曲角θが９０度未満である場合の第１ヘッダ配管３及び第１パス配管４の構造の一例を示す概略的な側面図である。図１０における第１パス配管４は、第１直管部４０ａ及び第２直管部４０ｃが、互いにねじれの位置関係となるように構成されており、図４の構造に対応している。また、図１０においては、熱歪みにより第１ヘッダ配管３及び第１パス配管４に生じる熱応力の方向が黒色のブロック矢印で示されている。なお、図１０においては、第２直管部４０ｃに対応する構成が図示されないため、第２直管部４０ｃが配置される位置を矢印にて示している。
【００３６】
図１１は、本実施の形態１に係る熱交換器１において、第１パス配管４の第１屈曲管部４０ｂの屈曲角θが９０度未満である場合の第１ヘッダ配管３及び第１パス配管４の構造の別の一例を示す概略的な側面図である。図１１における第１パス配管４は、第１直管部４０ａ及び第２直管部４０ｃが、互いに平行となるように構成されており、図５の構造に対応している。また、図１１においては、熱歪みにより第１ヘッダ配管３及び第１パス配管４に生じる熱応力の方向が黒色のブロック矢印で示されている。
【００３７】
図１０及び図１１の黒色のブロック矢印に示すように、第１ヘッダ配管３においては、熱膨張によって熱歪みが生じ、熱歪みによって第１ヘッダ配管３の中心軸の方向に熱応力が発生する。また、図１０及び図１１の黒色のブロック矢印に示すように、第１パス配管４においても、第３直管部４０ｅの熱膨張により熱歪みが生じ、熱歪みによって第３直管部４０ｅの中心軸の方向に熱応力が発生する。
【００３８】
しかしながら、図１０及び図１１において、第１パス配管４の第１屈曲管部４０ｂの屈曲角θを９０度未満とした場合、第３直管部４０ｅの中心軸の方向は、第１ヘッダ配管３の中心軸の方向と異なる方向となる。図１０及び図１１においては、配管接続部１０における第１ヘッダ配管３の中心軸の方向の熱応力は、第１屈曲管部４０ｂの屈曲角θを９０度とした場合よりも小さくなる。したがって、第１屈曲管部４０ｂの屈曲角θを９０度未満とすることにより、配管接続部１０における熱応力を小さくし、配管接続部１０で熱疲労による亀裂又は折損が発生する可能性が低減できるため、熱交換器１の信頼性を維持することができる。
【００３９】
次に、本実施の形態１に係る熱交換器１を用いた冷凍サイクル装置１００について説明する。
【００４０】
図１２は、本実施の形態１に係る冷凍サイクル装置１００の一例を概略的に示す冷媒回路図である。冷凍サイクル装置１００は、圧縮機１１０、凝縮器１２０、減圧装置１３０、及び蒸発器１４０が冷媒配管１５０で接続され、冷媒配管１５０の内部を冷媒が循環する冷凍サイクル回路１６０を備えている。
【００４１】
圧縮機１１０は、吸入した低圧冷媒を圧縮し、高圧冷媒として吐出する流体機械である。圧縮機１１０は、例えばレシプロ圧縮機、ロータリ圧縮機、スクロール圧縮機等として構成される。また、圧縮機１１０は、縦置型圧縮機として構成しても、横置型圧縮機として構成してもよい。
【００４２】
凝縮器１２０は、凝縮器１２０の内部を流れる高温高圧のガス冷媒と、凝縮器１２０を通過する低温の空気との間で熱交換を行う空冷式熱交換器である熱交換器１として構成される。なお、冷凍サイクル装置１００においては、凝縮器１２０は「放熱器」と称される場合がある。
【００４３】
減圧装置１３０は、高圧液冷媒を膨張及び減圧させるアクチュエータである。減圧装置１３０は、例えば、多段階又は連続的に開度を調節可能なリニア電子膨張弁等の膨張弁、又は機械式膨張弁である膨張機として構成できる。なお、冷凍サイクル装置１００においては、リニア電子膨張弁は「ＬＥＶ」と略称される場合がある。
【００４４】
蒸発器１４０は、蒸発器１４０の内部を流れる低温低圧の二相冷媒と、蒸発器１４０を通過する高温の媒体との間で熱交換を行うように構成される。例えば、蒸発器１４０は、蒸発器１４０の内部を流れる低温低圧の二相冷媒と、蒸発器１４０を通過する高温の空気との間で熱交換を行う空冷式熱交換器として構成できる。また、蒸発器１４０は、蒸発器１４０の内部を流れ低温低圧の二相冷媒と、蒸発器１４０の内部を流れる水又はブライン等との間で熱交換を行う水冷式熱交換器として構成できる。蒸発器１４０は、空冷式熱交換器として構成される場合は、例えば、熱交換器１のようなクロスフィン式のフィンアンドチューブ型熱交換器として構成でき、水冷式熱交換器として構成される場合は、例えば、プレート式熱交換器又は二重管熱交換器として構成できる。なお、冷凍サイクル装置１００においては、蒸発器１４０は「冷却器」と称される場合がある。
【００４５】
次に、冷凍サイクル装置１００の動作について説明する。図１２では、冷媒の流れる方向を矢印で示している。
【００４６】
圧縮機１１０から吐出された高温高圧のガス冷媒は、凝縮器１２０へ流入する。凝縮器１２０に流入した高温高圧のガス冷媒は、凝縮器１２０において低温の媒体に熱を放出することによって熱交換され、高圧の液冷媒となる。高圧の液冷媒は、減圧装置１３０に流入する。減圧装置１３０に流入した高圧の液冷媒は、膨張及び減圧されて低温低圧の二相冷媒となる。低温低圧の二相冷媒は、蒸発器１４０に流入し、蒸発器１４０において高温の媒体から熱を吸収し、蒸発して乾き度の高い二相冷媒又は低温低圧のガス冷媒となる。蒸発器１４０から流出した乾き度の高い二相冷媒又は低温低圧のガス冷媒は圧縮機１１０に吸入される。圧縮機１１０に吸入された冷媒は圧縮されて高温高圧のガス冷媒となり圧縮機１１０から吐出される。冷凍サイクル装置１００では以上のサイクルが繰り返される。
【００４７】
なお、冷凍サイクル装置１００において、利用者に対し冷熱を供給する冷房運転が行われる場合、凝縮器１２０は熱源側熱交換器として構成され、蒸発器１４０は負荷側熱交換器として構成される。一方、冷凍サイクル装置１００において、利用者に対し温熱を供給する暖房運転が行われる場合、凝縮器１２０は負荷側熱交換器として構成され、蒸発器１４０は熱源側熱交換器として構成される。なお、冷凍サイクル装置１００においては、負荷側熱交換器は「利用側熱交換器」と称される場合がある。
【００４８】
また、図１では図示しないが、冷凍サイクル装置１００を例えば空気調和機として構成する場合には、四方弁等の冷媒流路切替装置を冷凍サイクル回路１６０に配置し、冷房運転と暖房運転との切り替えが可能な空気調和機として構成できる。また、冷凍サイクル装置１００では、蒸発器１４０と圧縮機１１０との間を連結する冷媒配管１５０にアキュムレータを配置し、蒸発器１４０から流出した冷媒から液相成分を分離するように構成できる。また、蒸発器１４０を空冷式熱交換器として構成する場合、冷凍サイクル装置１００にプロペラファン等のファンを配置することができ、ファンの回転駆動により蒸発器１４０に空気を供給するように構成できる。また、冷凍サイクル装置１００は、上述の構成要素の他に、受液器、油分離器、過冷却熱交換器等を備えていてもよい。
【００４９】
また、冷凍サイクル装置１００は、複数の凝縮器１２０又は蒸発器１４０を、冷凍サイクル回路１６０に並列に配置した構成としてもよいし、冷凍サイクル回路１６０に複数の減圧装置１３０を配置した構成としてもよい。また、冷凍サイクル装置１００は、複数の冷凍サイクル回路１６０を有する構成にできる。
【００５０】
次に、本実施の形態１に係る冷凍サイクル装置１００の例として、冷凍装置２００の構造について説明する。
【００５１】
図１３は、本実施の形態１に係る冷凍装置２００の一例である屋内型冷凍装置の屋外凝縮ユニット２００ａの内部構造を示す概略図である。図１３においては、屋内型冷凍装置の屋外凝縮ユニット２００ａの駆動時において空気の流れる方向が白色のブロック矢印で示されている。
【００５２】
図１３に示すように、屋内型冷凍装置の屋外凝縮ユニット２００ａは、例えば、立方体形状の筐体２１０ａの内部に凝縮器１２０として構成される２つの熱交換器１を間隔を開けてＶ字形状に配置した構造にすることができる。また、筐体２１０ａの上方に、プロペラファン等の送風ファン２２０ａを１つ以上設けた構造にすることができる。
【００５３】
屋内型冷凍装置の屋外凝縮ユニット２００ａでは、送風ファン２２０ａの回転駆動により、室内空気が筐体２１０ａの側面部から筐体２１０ａの内部空間に誘引される。筐体２１０ａの内部空間に誘引された空気は、熱交換器１を通過し、熱交換器１の内部を流れる高温高圧のガス冷媒との間で熱交換が行われる。熱交換が行われた空気は、２つの熱交換器１に挟まれた空間で合流し、送風ファン２２０ａの回転駆動により、筐体２１０ａの上面部から外気に排気される。
【００５４】
図１４は、本実施の形態１に係る冷凍装置２００の一例である屋外型冷凍装置２００ｂの外観構造を示す概略図である。図１４においては、屋外型冷凍装置２００ｂの駆動時において空気の流れる方向が白色のブロック矢印で示されている。
【００５５】
図１４に示すように、屋外型冷凍装置２００ｂは、例えば、立方体形状の筐体２１０ｂの内部に凝縮器１２０として構成される熱交換器１を配置した構造にすることができる。熱交換器１は、例えば図１４に示すように、複数の矩形状の開口部２１５を設けた筐体２１０ｂの側面部の内側面側に配置することができる。また、筐体２１０ｂの上方に、プロペラファン等の送風ファン２２０ｂを１つ以上設けた構造にすることができる。なお、熱交換器１は、筐体２１０ｂの１つの側面部に配置する構成としてもよいし、複数の側面部に配置する構成としてもよい。
【００５６】
屋外型冷凍装置２００ｂでは、送風ファン２２０ｂの回転駆動により、室外空気が筐体２１０ｂの側面部から筐体２１０ｂの開口部２１５を介して筐体２１０ｂの内部空間に誘引される。筐体２１０ｂの内部空間に誘引された空気は、熱交換器１を通過し、熱交換器１の内部を流れる高温高圧のガス冷媒との間で熱交換が行われる。熱交換が行われた空気は、送風ファン２２０ｂの回転駆動により、筐体２１０ｂの上部から外気に排気される。
【００５７】
以上に説明したように、本実施の形態１の熱交換器１は、間隔を置いて並列に配置された複数の板状フィン２０と、複数の板状フィン２０と交差する複数の伝熱管２５とを有する熱交換部２と、熱交換部２に冷媒を供給するヘッダ配管である第１ヘッダ配管３と、熱交換部２と第１ヘッダ配管３との間に接続されたパス配管である複数の第１パス配管４とを備え、複数の第１パス配管４のうち、１つ以上の第１パス配管４は、第１ヘッダ配管３から離れる方向に延在する第１直管部４０ａと、第１直管部４０ａから延在する第１屈曲管部４０ｂと、熱交換部２との配管接続部１０から離れる方向に延在する第２直管部４０ｃと、第２直管部４０ｃから延在する第２屈曲管部４０ｄと、第１屈曲管部４０ｂと第２屈曲管部４０ｄとの間を延在する第３直管部４０ｅとを有しており、第１屈曲管部４０ｂの屈曲角θは９０度未満である。
【００５８】
また、本実施の形態１の冷凍サイクル装置１００は、上述の熱交換器１を備える。
【００５９】
本実施の形態１の構成によれば、第１パス配管４の第１屈曲管部４０ｂの屈曲角θを９０度未満とすることにより、第３直管部４０ｅの中心軸の方向は、第１ヘッダ配管３の中心軸の方向と異なる方向にすることができる。よって、配管接続部１０における第１ヘッダ配管３の中心軸の方向の熱応力は、第１屈曲管部４０ｂの屈曲角θを９０度とした場合よりも小さくなる。以上のことから、第１屈曲管部４０ｂの屈曲角θを９０度未満とすることにより、配管接続部１０における熱応力を小さくし、配管接続部１０で熱疲労による亀裂又は折損が発生する可能性が低減できるため、熱応力に対する熱交換器１の信頼性を維持することができる。
【００６０】
実施の形態２．
本発明の実施の形態２に係る熱交換器１について説明する。本実施の形態２に係る熱交換器１は、上述の実施の形態１に係る熱交換器１において、第１屈曲管部４０ｂの屈曲角θを最適化した変形例である。本実施の形態２において、第１屈曲管部４０ｂの屈曲角θを除く熱交換器１の構造は、上述の実施の形態１に係る熱交換器１のものと同一であるため、説明を省略する。
【００６１】
本実施の形態２においては、第１パス配管４の第１屈曲管部４０ｂの屈曲角θを最適化するために、第１パス配管４の第１屈曲管部４０ｂの屈曲角θと配管接続部１０における熱応力との関係を熱応力解析によって実測した。
【００６２】
熱交換器１の熱応力解析は自然対流条件下で行った。ガス冷媒の温度を９８℃とし、液冷媒の温度を５７℃とした。また、外気温度を−１５℃とした。また、伝熱管２５は銅管として構成し、管径を１９．０５ｍｍとし、厚みを１．０ｍｍとした。また、第１パス配管４は銅管として構成し、管径を７．９４ｍｍとし、厚みを０．７ｍｍとした。また、熱交換器１の熱伝達係数は５Ｗ／ｍ２・Ｋとなるようにした。
【００６３】
図１５は、本実施の形態２に係る熱交換器１において、第１パス配管４の第１屈曲管部４０ｂの屈曲角θが６０度である場合の第１ヘッダ配管３及び第１パス配管４の構造の一例を示す概略的な側面図である。図１６は、本実施の形態２に係る熱交換器１において、第１パス配管４の第１屈曲管部４０ｂの屈曲角θが１００度である場合の第１ヘッダ配管３及び第１パス配管４の構造の一例を示す概略的な側面図である。すなわち、図１５は、第１パス配管４の第１屈曲管部４０ｂの屈曲角θが鋭角である場合の第１パス配管４の構造の一例を示すものである。また、図１６は、第１パス配管４の第１屈曲管部４０ｂの屈曲角θが鈍角である場合の第１パス配管４の構造の一例を示すものである。本実施の形態２では、図１５及び図１６に示すように、第１パス配管４の第１屈曲管部４０ｂの屈曲角θのパラメータを変更することにより、配管接続部１０における熱交換器１の熱応力解析を行った。
【００６４】
図１７は、本実施の形態２に係る熱交換器１における、第１パス配管４の第１屈曲管部４０ｂの屈曲角θと配管接続部１０における熱応力との関係を示したグラフである。図１７のグラフの横軸は、第１パス配管４の第１屈曲管部４０ｂの屈曲角θである。図１７のグラフの縦軸は、配管接続部１０における熱応力の許容限界値を１００％として規格化した熱応力の規格値である。また、図１７のグラフには熱応力の規格値が１００％であることを示す横線が点線で示されている。
【００６５】
図１７に示すように、第１パス配管４の第１屈曲管部４０ｂの屈曲角θが８５度以上となった場合、熱応力の規格値が１００％を超えるため、配管接続部１０で熱疲労による亀裂又は折損が発生する可能性が高くなる。
【００６６】
また、本実施の形態２においては、第１パス配管４の第１屈曲管部４０ｂの屈曲角θを最適化するために、第１パス配管４の第１屈曲管部４０ｂの屈曲角θと第１屈曲管部４０ｂにおける熱応力との関係を熱応力解析によって実測した。図１８は、本実施の形態２に係る熱交換器１において、第１パス配管４の第１屈曲管部４０ｂの屈曲角θが鋭角である場合の第１パス配管４の第１屈曲管部４０ｂの構造の一例を示す概略的な側面図である。図１８に示すように、第１屈曲管部４０ｂにおける熱応力は、第１屈曲管部４０ｂの先端部Ｃにおいて測定された。なお、熱交換器１の熱応力解析の条件は、上述の配管接続部１０における熱応力について熱応力解析したものと同一とした。
【００６７】
図１９は、本実施の形態２に係る熱交換器１における、第１パス配管４の第１屈曲管部４０ｂの屈曲角θと第１屈曲管部４０ｂにおける熱応力との関係を示したグラフである。図１７のグラフの横軸は、第１パス配管４の第１屈曲管部４０ｂの屈曲角θである。図１９のグラフの縦軸は、第１屈曲管部４０ｂにおける熱応力の許容限界値を１００％として規格化した熱応力の規格値である。
【００６８】
図１９に示すように、第１パス配管４の第１屈曲管部４０ｂの屈曲角θを変化させた場合であっても、第１屈曲管部４０ｂにおける熱応力の規格値は５０％未満となるため、第１屈曲管部４０ｂで熱疲労による亀裂又は折損が発生する可能性が少ない。
【００６９】
したがって、第１パス配管４の第１屈曲管部４０ｂの屈曲角θを８５度より小さくすれば、配管接続部１０及び第１屈曲管部４０ｂの双方で熱疲労による亀裂又は折損が発生する可能性が低減される。
【００７０】
次に、第１パス配管４の第１屈曲管部４０ｂの屈曲角θと、第１パス配管４の固有値である共振周波数との関係について、図２０及び図２１を用いて説明する。図２０は、本実施の形態２に係る熱交換器１において、第１パス配管４の第１屈曲管部４０ｂの屈曲角θが鋭角である場合の第１パス配管４の第１屈曲管部４０ｂの構造の別の一例を示す概略的な側面図である。図２０の第１パス配管４の構造は、第１屈曲管部４０ｂの先端部Ｃが図示されていない点を除けば図１８と同一である。
【００７１】
なお、図２０においては、伝熱管２５は銅管として構成し、管径を１９．０５ｍｍとし、厚みを１．０ｍｍとした。また、第１パス配管４は銅管として構成し、管径を７．９４ｍｍとし、厚みを０．７ｍｍとした。
【００７２】
図２１は、本実施の形態２に係る熱交換器１における、第１パス配管４の第１屈曲管部４０ｂの屈曲角θと第１パス配管４の共振周波数との関係を示したグラフである。図２１のグラフの横軸は、第１パス配管４の第１屈曲管部４０ｂの屈曲角θである。図２１のグラフの縦軸は、第１パス配管４の共振周波数であり、単位はヘルツである。また、図２１のグラフでは、共振周波数が１００Ｈｚ以下となる第１屈曲管部４０ｂの屈曲角θの領域が斜線で示されている。
【００７３】
図２１に示すように、第１パス配管４の第１屈曲管部４０ｂの屈曲角θが２５度以下となった場合、第１パス配管４の共振周波数が１００Ｈｚ以下となる。熱交換器１を備える冷凍サイクル装置１００において、圧縮機１１０の運転周波数は最大１００Ｈｚであるため、第１屈曲管部４０ｂの屈曲角θが２５度以下となると、第１パス配管４が共振することによる亀裂又は折損が発生する可能性がある。
【００７４】
したがって、本実施の形態２に係る熱交換器１では、第１パス配管４の第１屈曲管部４０ｂの屈曲角θを２５度より大きく８５度よりも小さくすることにより、第１パス配管４における熱疲労又は共振と熱応力とによる亀裂又は折損が発生する可能性が低減できる。
【００７５】
実施の形態３．
本発明の実施の形態３に係る熱交換器１について説明する。本実施の形態３に係る熱交換器１は、上述の実施の形態１及び実施の形態２に係る熱交換器１において、第１屈曲管部４０ｂの屈曲角θを更に最適化した変形例である。本実施の形態３において、第１屈曲管部４０ｂの屈曲角θを除く熱交換器１の構造は、上述の実施の形態１及び実施の形態２に係る熱交換器１のものと同一であるため、説明を省略する。
【００７６】
図２２は、本実施の形態３に係る熱交換器１における、第１パス配管４の第１屈曲管部４０ｂの屈曲角θと配管接続部１０における熱応力及び第１パス配管４の材料費との関係を示したグラフである。図２２のグラフの横軸は、第１パス配管４の第１屈曲管部４０ｂの屈曲角θである。図２２のグラフの左側縦軸は、配管接続部１０における熱応力の許容限界値を１００％として規格化した熱応力の規格値である。図２２のグラフの右側縦軸は、第１屈曲管部４０ｂの屈曲角θを９０度とした場合の第１パス配管４の材料費を１００％として規格化した第１パス配管４の材料費の規格値である。
【００７７】
図２２のグラフでは、第１パス配管４の第１屈曲管部４０ｂの屈曲角θと配管接続部１０における熱応力との関係を示す曲線は実線で示されている。また、第１パス配管４の第１屈曲管部４０ｂの屈曲角θと材料費との関係を示す曲線は破線で示されている。なお、図２２のグラフには、屈曲角θ、熱応力の規格値、及び材料費の規格値の最適範囲が斜線にて示されている。また、図２２のグラフには熱応力の規格値が１００％であることを示す横線が点線で示されている。
【００７８】
図２２に示すように、第１屈曲管部４０ｂの屈曲角θを６０度以下とした場合、配管接続部１０に発生する熱応力は小さくなるが、第１パス配管４が長くなるため、第１パス配管４の材料費の増加は５０％以上となる。
【００７９】
また、上述の実施の形態２において、配管接続部１０における熱応力の安全率と第１パス配管４における共振周波数及び熱応力の安全率を１．２とすると、第１屈曲管部４０ｂの屈曲角θの最適値は２８度より大きく８０度より小さい範囲となる。第１屈曲管部４０ｂの屈曲角θを２８度より大きく８０度より小さくすることにより、第１パス配管４における熱疲労又は共振による亀裂又は折損が発生する可能性が更に低減できる。
【００８０】
したがって、本実施の形態３に係る熱交換器１では、第１パス配管４の第１屈曲管部４０ｂの屈曲角θを６０度より大きく８０度よりも小さくすることにより、第１パス配管４における熱疲労又は共振による亀裂又は折損が発生する可能性を低減できる。また、第１パス配管４の材料費の増加を５０％未満に抑制できる。よって、本実施の形態３に係る熱交換器１では、第１パス配管４の材料費増加を抑制するとともに、第１パス配管４における熱疲労又は共振による亀裂又は折損の発生を更に抑制することができる。
【００８１】
その他の実施の形態．
本発明は、上述の実施の形態に限らず、本発明の要旨を逸脱しない範囲において種々の変形が可能である。例えば、上述の実施の形態では、冷凍サイクル装置１００として冷凍装置２００を例に挙げたが、本発明は、冷凍装置２００以外の冷凍サイクル装置１００、例えば空気調和装置等にも適用可能である。
【００８２】
また、図示しないが、板状フィン２０には、山部と谷部が交互に並んで形成される伝熱促進部を設けてもよく、板状フィン２０における伝熱を促進させるように構成してもよい。また、伝熱管２５は、扁平管として構成してもよい。
【符号の説明】
【００８３】
１  熱交換器、２  熱交換部、３  第１ヘッダ配管、４  第１パス配管、４ａ  末端部、５  第２ヘッダ配管、６  第２パス配管、７  側板、７ａ  パンチ穴、１０  配管接続部、２０  板状フィン、２５  伝熱管、２５ａ  末端部、４０ａ  第１直管部、４０ｂ  第１屈曲管部、４０ｃ  第２直管部、４０ｄ  第２屈曲管部、４０ｅ  第３直管部、１００  冷凍サイクル装置、１１０  圧縮機、１２０  凝縮器、１３０  減圧装置、１４０  蒸発器、１５０  冷媒配管、１６０  冷凍サイクル回路、２００  冷凍装置、２００ａ  屋外凝縮ユニット、２００ｂ  屋外型冷凍装置、２１０ａ、２１０ｂ  筐体、２１５  開口部、２２０ａ、２２０ｂ  送風ファン。
【図１】
2017168669.tif 000003
【図２】
2017168669.tif 000004
【図３】
2017168669.tif 000005
【図４】
2017168669.tif 000006
【図５】
2017168669.tif 000007
【図６】
2017168669.tif 000008
【図７】
2017168669.tif 000009
【図８】
2017168669.tif 000010
【図９】
2017168669.tif 000011
【図１０】
2017168669.tif 000012
【図１１】
2017168669.tif 000013
【図１２】
2017168669.tif 000014
【図１３】
2017168669.tif 000015
【図１４】
2017168669.tif 000016
【図１５】
2017168669.tif 000017
【図１６】
2017168669.tif 000018
【図１７】
2017168669.tif 000019
【図１８】
2017168669.tif 000020
【図１９】
2017168669.tif 000021
【図２０】
2017168669.tif 000022
【図２１】
2017168669.tif 000023
【図２２】
2017168669.tif 000024
【手続補正書】
【提出日】平成30年6月19日(2018.6.19)
【手続補正１】
【補正対象書類名】明細書
【補正対象項目名】０００７
【補正方法】変更
【補正の内容】
【０００７】
本発明に係る熱交換器は、間隔を置いて並列に配置された複数の板状フィンと、前記複数の板状フィンと交差する複数の伝熱管とを有する熱交換部と、前記熱交換部に冷媒を供給するヘッダ配管と、前記熱交換部と前記ヘッダ配管との間に接続された複数のパス配管とを備え、前記複数のパス配管のうち、１つ以上のパス配管は、前記ヘッダ配管から離れる方向に延在する第１直管部と、前記第１直管部から延在する第１屈曲管部と、前記熱交換部との配管接続部から離れる方向に延在する第２直管部と、前記第２直管部から延在する第２屈曲管部と、前記第１屈曲管部と前記第２屈曲管部との間を延在する第３直管部とを有しており、前記第１屈曲管部の屈曲角は９０度未満であり、前記第３直管部の中心軸の方向は、前記ヘッダ配管の中心軸の方向と異なっている。
また、本発明に係る熱交換器は、間隔を置いて並列に配置された複数の板状フィンと、前記複数の板状フィンと交差する複数の伝熱管とを有する熱交換部と、前記熱交換部に冷媒を供給するヘッダ配管と、前記熱交換部と前記ヘッダ配管との間に接続された複数のパス配管とを備え、前記複数のパス配管のうち、１つ以上のパス配管は、前記ヘッダ配管から離れる方向に延在する第１直管部と、前記第１直管部から延在する第１屈曲管部と、前記熱交換部との配管接続部から離れる方向に延在する第２直管部と、前記第２直管部から延在する第２屈曲管部と、前記第１屈曲管部と前記第２屈曲管部との間を延在する第３直管部とを有しており、前記第１屈曲管部の屈曲角は２５度より大きく８５度よりも小さい。
【手続補正２】
【補正対象書類名】特許請求の範囲
【補正対象項目名】全文
【補正方法】変更
【補正の内容】
【特許請求の範囲】
【請求項１】
間隔を置いて並列に配置された複数の板状フィンと、前記複数の板状フィンと交差する複数の伝熱管とを有する熱交換部と、
前記熱交換部に冷媒を供給するヘッダ配管と、
前記熱交換部と前記ヘッダ配管との間に接続された複数のパス配管と
を備え、
前記複数のパス配管のうち、１つ以上のパス配管は、
前記ヘッダ配管から離れる方向に延在する第１直管部と、
前記第１直管部から延在する第１屈曲管部と、
前記熱交換部との配管接続部から離れる方向に延在する第２直管部と、
前記第２直管部から延在する第２屈曲管部と、
前記第１屈曲管部と前記第２屈曲管部との間を延在する第３直管部と
を有しており、
前記第１屈曲管部の屈曲角は９０度未満であり、
前記第３直管部の中心軸の方向は、前記ヘッダ配管の中心軸の方向と異なっている
熱交換器。
【請求項２】
前記第３直管部は、前記第１屈曲管部から前記第２屈曲管部に向いて、前記ヘッダ配管に近づく
請求項１に記載の熱交換器。
【請求項３】
前記屈曲角は２５度より大きく８５度よりも小さい
請求項１又は２に記載の熱交換器。
【請求項４】
間隔を置いて並列に配置された複数の板状フィンと、前記複数の板状フィンと交差する複数の伝熱管とを有する熱交換部と、
前記熱交換部に冷媒を供給するヘッダ配管と、
前記熱交換部と前記ヘッダ配管との間に接続された複数のパス配管と
を備え、
前記複数のパス配管のうち、１つ以上のパス配管は、
前記ヘッダ配管から離れる方向に延在する第１直管部と、
前記第１直管部から延在する第１屈曲管部と、
前記熱交換部との配管接続部から離れる方向に延在する第２直管部と、
前記第２直管部から延在する第２屈曲管部と、
前記第１屈曲管部と前記第２屈曲管部との間を延在する第３直管部と
を有しており、
前記第１屈曲管部の屈曲角は２５度より大きく８５度よりも小さい
熱交換器。
【請求項５】
前記第２直管部は、前記第１直管部とねじれの位置にある
請求項１〜４のいずれか一項に記載の熱交換器。
【請求項６】
前記第２直管部は、前記第１直管部と平行である
請求項１〜４のいずれか一項に記載の熱交換器。
【請求項７】
前記屈曲角は６０度より大きく８０度よりも小さい
請求項１〜６のいずれか一項に記載の熱交換器。
【請求項８】
請求項１〜７のいずれか一項に記載の熱交換器を備える冷凍サイクル装置。
【国際調査報告】
2017168669.tif 000025
2017168669.tif 000026
2017168669.tif 000027
2017168669.tif 000028